(57)【要約】【課題】二重認証機能を有するマシーン認証システムを提供する。【解決手段】マシーン認証システムは、マシーン１、オンラインサーバ２及びユーザ端３を備える。マシーン１は、マシーン１に対応した身分情報１１を含むとともに、提示ユニット１２を有する。オンラインサーバ２は、ネットワークを介してマシーン１と通信接続する。ユーザ端３は、ネットワークを介してオンラインサーバ２と通信接続する。ユーザ端３は、ネットワークを介して身分情報１１に合致する請求情報を送信し、オンラインサーバ２からマシーン１へ伝送し、マシーン１の提示ユニット１２には、被認証情報１３が表示され、ユーザ端３は、提示ユニット１２を介して認証情報を得て、ネットワークを介して被認証情報１３に合致する認証情報を送信し、オンラインサーバ２からマシーン１へ伝送し、認証情報と被認証情報１３とが合致するとき、マシーン１が供給作業５３を実行する。【選択図】図１
0003210782.tif 000002
【実用新案登録請求の範囲】
【請求項１】
マシーン、オンラインサーバ及びユーザ端を備えたマシーン認証システムであって、
前記マシーンは、前記マシーンに対応した身分情報を含むとともに、提示ユニットを有し、
前記オンラインサーバは、ネットワークを介して前記マシーンと通信接続し、
前記ユーザ端は、前記ネットワークを介して前記オンラインサーバと通信接続し、
前記ユーザ端は、前記ネットワークを介して前記身分情報に合致する請求情報を送信し、前記オンラインサーバから前記マシーンへ伝送し、前記マシーンの前記提示ユニットには、被認証情報が表示され、前記ユーザ端は、前記提示ユニットを介して認証情報を得て、前記ネットワークを介して前記被認証情報に合致する認証情報を送信し、前記オンラインサーバから前記マシーンへ伝送し、前記認証情報と前記被認証情報とが合致するとき、前記マシーンが供給作業を実行することを特徴とするマシーン認証システム。
【請求項２】
前記マシーンは販売機、カードチャージ機、自動券売機又はメダル交換機であることを特徴とする請求項１に記載のマシーン認証システム。
【請求項３】
前記身分情報は文字情報又は二次元バーコードであることを特徴とする請求項１に記載のマシーン認証システム。
【請求項４】
前記提示ユニットは表示装置であり、
前記被認証情報は文字情報又は二次元バーコードであることを特徴とする請求項１に記載のマシーン認証システム。
【請求項５】
プロキシサーバをさらに備え、
前記プロキシサーバは、前記ネットワークを介して前記ユーザ端と前記オンラインサーバとの間に接続され、ＦＡＣＥＢＯＯＫ（登録商標）、ＬＩＮＥ（登録商標）、ｗｅｃｈａｔ（登録商標）、ＷＨＡＴＳＡＰＰ（登録商標）、ＢｅｅＴａｌｋ（登録商標）、ＴＷＩＴＴＥＲ（登録商標）、ＭＹＳＰＡＣＥ（登録商標）、ＧＯＯＧＬＥ＋（登録商標）又はウェブ放送のソーシャル・ネットワーキング・サイトに対応し、
前記ユーザ端が前記ネットワークを介して前記プロキシサーバへ請求情報を送信した後、前記プロキシサーバにより前記請求情報を前記オンラインサーバへ伝送することを特徴とする請求項１に記載のマシーン認証システム。
【請求項６】
前記ユーザ端はアカウントを含み、
前記ユーザ端は、プロキシサーバが放送するウェブ放送を視聴者に視聴させ、前記ウェブ放送の視聴者が贈与金額を選択すると、前記金額が前記ユーザ端の前記アカウントにチャージされ、前記アカウントの前記金額は、前記マシーンの商品購入に用い得ることを特徴とする請求項１に記載のマシーン認証システム。
【考案の詳細な説明】
【技術分野】
【０００１】
本考案は、二重認証機能を有するマシーン認証システムに関する。
【背景技術】
【０００２】
近年、科学技術が進歩し、人々の購買力が向上しており、人々が消費する際、利便性を重視するようになってきているため、関連業者は大量の商品をクレーンゲーム、アーケードゲーム機、清涼飲料の自動販売機などで販売し、商品の販売ルートを増やしていた。ネットワークの普及に伴い、各マシーンはネットワークを介してオンラインサーバに接続されている。また一部の関連業者は会員制度を採用し、会員に特典を付与したりキャンペーンを行うことにより会員の消費意欲を高めて顧客を引き留めたり新たな顧客を獲得したりしていた。ユーザは、機器（例えば携帯電話）を使用し、ネットワークを介してオンラインサーバと通信し、マシーンが有する身分情報（例えばマシーンの番号）を入力し、直接、マシーンから特典を得たり、会員がオンラインで支払いを行ったり、マシーンを使用してマシーンの商品を購入したりしていた。
【０００３】
しかし、従来のマシーンの会員制度には完全な認証システムが無かったため、マシーンは会員であるユーザがマシーン前にいるのか否かを判断することができず、会員がマシーン前にいない場合でも、マシーンと会員との間でインタラクティブに操作する場合（例えば、正確でないマシーンの身分情報を入力するなど）、第三者が会員になりすまして商品を購入するなど、会員のアカウントが不正利用される虞があり、改善が求められていた。
【０００４】
そのため、上述したような従来の問題点を改善する新規性及び進歩性を有するマシーン認証システムが求められていた。
【考案の概要】
【考案が解決しようとする課題】
【０００５】
本考案の目的は、ユーザがマシーン前にいるときにだけユーザ端でマシーンが操作できるマシーン認証システムを提供することにある。
【課題を解決するための手段】
【０００６】
上記課題を解決するために、本考案の第１の形態によれば、マシーン、オンラインサーバ及びユーザ端を備えたマシーン認証システムであって、前記マシーンは、前記マシーンに対応した身分情報を含むとともに、提示ユニットを有し、前記オンラインサーバは、ネットワークを介して前記マシーンと通信接続し、前記ユーザ端は、前記ネットワークを介して前記オンラインサーバと通信接続し、前記ユーザ端は、前記ネットワークを介して前記身分情報に合致する請求情報を送信し、前記オンラインサーバから前記マシーンへ伝送し、前記マシーンの前記提示ユニットには、被認証情報が表示され、前記ユーザ端は、前記提示ユニットを介して認証情報を得て、前記ネットワークを介して前記被認証情報に合致する認証情報を送信し、前記オンラインサーバから前記マシーンへ伝送し、前記認証情報と前記被認証情報とが合致するとき、前記マシーンが供給作業を実行することを特徴とするマシーン認証システムが提供される。
【図面の簡単な説明】
【０００７】
【図１】図１は、本考案の一実施形態に係るマシーン認証システムを示す説明図である。
【図２】図２は、本考案の一実施形態に係るマシーン認証システムを示すブロック図である。
【考案を実施するための形態】
【０００８】
以下、本考案の実施形態について図に基づいて説明する。なお、これによって本考案が限定されるものではない。
【０００９】
図１及び図２を参照する。図１及び図２に示すように、本考案の一実施形態に係るマシーン認証システムは、少なくともマシーン１、オンラインサーバ２及びユーザ端３から構成されてなる。
【００１０】
マシーン１は、マシーン１に対応した身分情報１１を含む。本実施形態の身分情報１１は、文字情報又は二次元バーコードでもよい。マシーン１は、提示ユニット１２を有する。本実施形態のマシーン１は販売機であるが、他の実施形態では、カードチャージ機、自動券売機、メダル交換機その他の機器でもよい。
【００１１】
オンラインサーバ２は、ネットワークを介してマシーン１と通信接続されている。
【００１２】
ユーザ端３は、ネットワークを介してオンラインサーバ２と通信接続されている。本実施形態のユーザ端３は、携帯し易い携帯電話３２を含むが、他の実施形態では、タブレット型パソコン、ノートブック型パソコンその他通信機器を含んでもよい。
【００１３】
ユーザ端３は、ネットワークを介して身分情報１１に合致する請求情報５１を送信し、オンラインサーバ２からマシーン１へ伝送する。マシーン１の提示ユニット１２には、被認証情報１３が表示される。ユーザ端３は、提示ユニット１２を介して認証情報５２を得て、ネットワークを介して被認証情報１３に合致する認証情報５２を送信し、オンラインサーバ２からマシーン１へ伝送し、認証情報５２と被認証情報１３とが合致するとき、マシーン１が供給作業５３を実行する。
【００１４】
さらに詳細には、提示ユニット１２は表示装置１２１であることが好ましい。本実施形態の被認証情報１３は、文字情報又は二次元バーコードでもよい。ユーザ端３を携帯電話３２により走査識別し、ユーザ端３がマシーン１に位置することを確認し、なりすましを防ぐ。
【００１５】
供給作業５３によりマシーン１はユーザ端３へ特典情報を知らせ、ユーザ端３へ贈り物をプレゼントしたり、消費者端がマシーン１内の商品１４を直接購入したりしてもよい。本実施形態には、消費者の消費意欲を持続させるために、上述した供給作業５３が含まれてもよい。
【００１６】
また、マシーン認証システムには、プロキシサーバ４がさらに含まれてもよい。プロキシサーバ４は、ネットワークを介してユーザ端３とオンラインサーバ２との間に接続される。プロキシサーバ４は、ＦＡＣＥＢＯＯＫ（登録商標）、ＬＩＮＥ（登録商標）、ｗｅｃｈａｔ（登録商標）、ＷＨＡＴＳＡＰＰ（登録商標）、ＢｅｅＴａｌｋ（登録商標）、ＴＷＩＴＴＥＲ（登録商標）、ＭＹＳＰＡＣＥ（登録商標）、ＧＯＯＧＬＥ＋（登録商標）又はソーシャル・ネットワーキング・サイト（Ｓｏｃｉａｌ  Ｎｅｔｗｏｒｋｉｎｇ  Ｓｉｔｅ）に対応する。本実施形態のプロキシサーバ４はＦＡＣＥＢＯＯＫ（登録商標）に対応する。ユーザ端３がネットワークを介してプロキシサーバ４へ請求情報５１を送信した後、プロキシサーバ４により請求情報５１をオンラインサーバ２へ伝送する。そのため、消費者はソーシャル・ネットワーキング・サイトのアカウントを直接使用して会員申請してログインし、ネットワークを介してオンラインサーバ２と通信することができ、使用が容易である。
【００１７】
さらに詳細に述べると、ユーザ端３はアカウント３１を含んでもよい。ユーザ端３は、プロキシサーバ４が放送するウェブ放送（ｗｅｂｃａｓｔ）を視聴者に視聴させ、ウェブ放送の視聴者が贈与金額を選択すると、その金額がユーザ端３のアカウント３１にチャージされる。好ましくはアカウント３１は、第三者が支払うアカウント３１である。アカウント３１の金額は、マシーン１の商品１４を購入するために用いることができる。このように業者はウェブ放送で宣伝効果を得て、ユーザ端３を使用する消費者はウェブ放送でお金を稼ぐことができるため、ウィンウィンの状況となる。
【００１８】
上述したことから分かるように、本考案のマシーン認証システムは、ユーザ端が提示ユニット上で認証情報を得ることができる上、ネットワークを介して被認証情報に合致した認証情報を送信し、オンラインサーバからマシーンへ伝送し、認証情報が被認証情報に合致したときにマシーンが供給作業を行うため、二重認証の効果を得ることができる。そのため、ユーザ端のなりすましを防ぐことができる。
【符号の説明】
【００１９】
１    マシーン
２    オンラインサーバ
３    ユーザ端
４    プロキシサーバ
１１    身分情報
１２    提示ユニット
１３    被認証情報
１４    商品
３１    アカウント
３２    携帯電話
５１    請求情報
５２    認証情報
５３    供給作業
１２１    表示装置
【図１】
0003210782.tif 000003
【図２】
0003210782.tif 000004
【手続補正書】
【提出日】平成29年3月29日(2017.3.29)
【手続補正１】
【補正対象書類名】実用新案登録請求の範囲
【補正対象項目名】全文
【補正方法】変更
【補正の内容】
【実用新案登録請求の範囲】
【請求項１】
マシーン、オンラインサーバ及びユーザ端を備えたマシーン認証システムであって、
前記マシーンは、前記マシーンに対応した身分情報を含むとともに、提示ユニットを有し、
前記オンラインサーバは、ネットワークを介して前記マシーンと通信接続し、
前記ユーザ端は、前記ネットワークを介して前記オンラインサーバと通信接続し、
前記ユーザ端は、前記ネットワークを介して前記身分情報に合致する請求情報を送信し、前記オンラインサーバから前記マシーンへ伝送し、前記マシーンの前記提示ユニットには、被認証情報が表示され、前記ユーザ端は、前記提示ユニットを介して認証情報を得て、前記ネットワークを介して前記被認証情報に合致する認証情報を送信し、前記オンラインサーバから前記マシーンへ伝送し、前記認証情報と前記被認証情報とが合致するとき、前記マシーンが供給作業を実行することを特徴とするマシーン認証システム。
【請求項２】
前記マシーンは販売機、カードチャージ機、自動券売機又はメダル交換機であることを特徴とする請求項１に記載のマシーン認証システム。
【請求項３】
前記身分情報は文字情報又は二次元バーコードであることを特徴とする請求項１に記載のマシーン認証システム。
【請求項４】
前記提示ユニットは表示装置であり、
前記被認証情報は文字情報又は二次元バーコードであることを特徴とする請求項１に記載のマシーン認証システム。
【請求項５】
前記ユーザ端はアカウントを含み、
前記ユーザ端は、プロキシサーバが放送するウェブ放送を視聴者に視聴させ、前記ウェブ放送の視聴者が贈与金額を選択すると、前記金額が前記ユーザ端の前記アカウントにチャージされ、前記アカウントの前記金額は、前記マシーンの商品購入に用い得ることを特徴とする請求項１に記載のマシーン認証システム。